Podtech/llm-jp-corpus-v4-ja_patent huggingface dataset:
【手続補正書】
【提出日】平成21年8月26日(2009.8.26)
【手続補正１】
【補正対象書類名】特許請求の範囲
【補正対象項目名】全文
【補正方法】変更
【補正の内容】
【特許請求の範囲】
【請求項１】
指示手段が指示した座標に基づくオブジェクトの描き込みが可能な描画モードと、前記描画モードにおいて描き込まれたオブジェクトの表示領域の変更が可能な編集モードとを有する表示制御装置であって、
前記描画モードにおいて前記指示手段によって所定時間継続して同じ座標が指示されたか否かを判定する判定手段と、
前記描画モードにおいて前記指示手段によって前記所定時間継続して同じ座標が指示されたと前記判定手段によって判定された場合、前記描画モードから前記編集モードに変更する変更手段と、
を含むことを特徴とする表示制御装置。
【請求項２】
前記判定手段は、前記描画モードにおいて前記指示手段によって指示された第１の座標から所定範囲内の座標が所定時間継続して前記指示手段によって指示された場合、前記所定時間継続して同じ座標が指示されたと判定することを特徴とする請求項１に記載の表示制御装置。
【請求項３】
前記判定手段による判定に応じて前記描画モードから前記編集モードに変更されてから前記指示手段によって指示される座標が第１の方向に移動されると、前記描画モードにおいて描き込まれた複数のオブジェクトを前記第１の方向に移動させる移動手段を含むことを特徴とする請求項１に記載の表示制御装置。
【請求項４】
前記変更手段は、前記判定手段による判定に応じて前記描画モードから前記編集モードに変更した後に、前記指示手段による座標の指示が検知されなくなると、前記編集モードから前記描画モードに変更することを特徴とする請求項１に記載の表示制御装置。
【請求項５】
前記描画モードにおいて描き込まれた第１のオブジェクトと、該第１のオブジェクトが描き込まれてから前記変更手段によって前記描画モードから前記編集モードに変更され、前記指示手段による座標の指示が検知されなくなったことに応じて前記編集モードから前記描画モードに変更されたあと第２の所定時間内に描き込まれた第２のオブジェクトとを、該第２のオブジェクトが描き込まれてから前記変更手段によって前記描画モードから前記編集モードに変更されたあとに前記指示手段によって指示される座標が第１の方向に移動されたことに応じて前記第１の方向に移動させる移動手段を含むことを特徴とする請求項４に記載の表示制御装置。
【請求項６】
前記描画モードにおいて描き込まれた第１のオブジェクトと、該第１のオブジェクトが描き込まれてから前記変更手段によって前記描画モードから前記編集モードに変更され、前記指示手段による座標の指示が検知されなくなったことに応じて前記編集モードから前記描画モードに変更されたあと前記第１のオブジェクトから所定範囲内に描き込まれた第２のオブジェクトとを、該第２のオブジェクトが描き込まれてから前記変更手段によって前記描画モードから前記編集モードに変更された後に前記指示手段によって指示される座標が第１の方向に移動されたことに応じて前記第１の方向に移動させる移動手段を含むことを特徴とする請求項４に記載の表示制御装置。
【請求項７】
前記描画モードにおいて前記第１のオブジェクトから所定範囲内の領域を示す範囲画像を表示させる範囲画像表示制御手段を含むことを特徴とする請求項６記載の表示制御装置。
【請求項８】
指示手段が指示した座標に基づくオブジェクトの描き込みが可能な描画モードと、該描画モードにおいて描き込まれたオブジェクトの表示領域の変更が可能な編集モードとを有する表示制御装置が行う表示制御方法であって、
判定手段が、前記描画モードにおいて前記指示手段によって所定時間継続して同じ座標が指示されたか否かを判定する判定工程と、
変更手段が、前記描画モードにおいて前記指示手段によって前記所定時間継続して同じ座標が指示されたと前記判定工程によって判定された場合、前記描画モードから前記編集モードに変更する変更工程と、
を含むことを特徴とする表示制御方法。
【請求項９】
コンピュータを、請求項１乃至７の何れか一項に記載の表示制御装置の各手段として機能させるためのコンピュータ・プログラム。
【手続補正２】
【補正対象書類名】明細書
【補正対象項目名】発明の名称
【補正方法】変更
【補正の内容】
【発明の名称】表示制御装置及びその制御方法
【手続補正３】
【補正対象書類名】明細書
【補正対象項目名】０００６
【補正方法】変更
【補正の内容】
【０００６】
上述の問題点を解決するため、本発明の表示制御装置は以下の構成を備える。すなわち、指示手段が指示した座標に基づくオブジェクトの描き込みが可能な描画モードと、前記描画モードにおいて描き込まれたオブジェクトの表示領域の変更が可能な編集モードとを有する表示制御装置において、前記描画モードにおいて前記指示手段によって所定時間継続して同じ座標が指示されたか否かを判定する判定手段と、前記描画モードにおいて前記指示手段によって前記所定時間継続して同じ座標が指示されたと前記判定手段によって判定された場合、前記描画モードから前記編集モードに変更する変更手段と、を含む。
【手続補正４】
【補正対象書類名】明細書
【補正対象項目名】０００７
【補正方法】変更
【補正の内容】
【０００７】
上述の問題点を解決するため、本発明の表示制御方法は以下の構成を備える。すなわち、指示手段が指示した座標に基づくオブジェクトの描き込みが可能な描画モードと、該描画モードにおいて描き込まれたオブジェクトの表示領域の変更が可能な編集モードとを有する表示制御装置が行う表示制御方法において、判定手段が、前記描画モードにおいて前記指示手段によって所定時間継続して同じ座標が指示されたか否かを判定する判定工程と、変更手段が、前記描画モードにおいて前記指示手段によって前記所定時間継続して同じ座標が指示されたと前記判定工程によって判定された場合、前記描画モードから前記編集モードに変更する変更工程と、を含む。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正書】
【提出日】平成21年9月4日(2009.9.4)
【手続補正１】
【補正対象書類名】明細書
【補正対象項目名】００４６
【補正方法】変更
【補正の内容】
【００４６】
また、当該赤色光ビームＬｒ１と光軸Ｌｘを共有し当該対物レンズＯＬ１により集光された青色光ビームＬｂ１が、基板１０２及び反射透過膜１０４を透過し、記録層１０１内における当該所望トラックの裏側（すなわち基板１０３側）に相当する位置に合焦される。このとき青色光ビームＬｂ１の焦点Ｆｂ１は、対物レンズＯＬ１を基準として、共通の光軸Ｌｘ上における焦点Ｆｒよりも遠方に位置することになる。
【手続補正２】
【補正対象書類名】明細書
【補正対象項目名】００５２
【補正方法】変更
【補正の内容】
【００５２】
また記録マークＲＭの高さＲＭｈに関しては、記録層１０１の屈折率をｎとすると、次に示す（２）式により求められる。
【手続補正書】
【提出日】平成21年4月17日(2009.4.17)
【手続補正１】
【補正対象書類名】特許請求の範囲
【補正対象項目名】全文
【補正方法】変更
【補正の内容】
【特許請求の範囲】
【請求項１】
照明灯と交流電源との間に直列に接続される磁気エネルギー回生双方向電流スイッチと、前記磁気エネルギー回生双方向電流スイッチを制御する制御装置と、前記照明灯の点灯と消灯を切り替えるためのスイッチと、前記照明灯の照明範囲内に対象物が存在するか否かを感知する対象物感知装置と、を備えた照明灯制御装置によって、前記照明灯の使用状態に応じて、前記照明灯に印可する電圧を制御し、
前記照明灯を使用しない場合に、前記照明灯に対して零より大きく前記照明灯の定格電圧未満の低電圧を継続的に印可する照明灯制御方法であって、
前記切り替えるためのスイッチにより消灯が選択された場合に前記照明灯に対して前記照明灯の定格電圧未満の低電圧を印可し、
また、前記対象物感知装置により前記対象物が感知されない場合に前記照明灯に対して前記低電圧を印可することを特徴とする、照明灯制御方法。
【請求項２】
前記対象物感知装置によって所定時間以上前記対象物が感知されない場合に、前記照明灯に印加される電圧を零とすることを特徴とする、請求項１に記載の照明灯制御方法。
【請求項３】
前記磁気エネルギー回生双方向電流スイッチは、
第１経路に第１逆導通型半導体スイッチと第４逆導通型半導体スイッチとがスイッチオフ時の導通方向を相互に逆向きにして直列に配置され、第２経路に第２逆導通型半導体スイッチと第３逆導通型半導体スイッチとがスイッチオフ時の導通方向を相互に逆向きにして直列に配置されたブリッジ回路と、
前記第１逆導通型半導体スイッチと前記第４逆導通型半導体スイッチとの間の前記第１経路と、前記第２逆導通型半導体スイッチと前記第３逆導通型半導体スイッチとの間の前記第２経路との間に配置されたコンデンサと、
を含み、
前記制御装置は、
前記交流電源の半周期毎のスイッチ切替タイミングで、前記第１逆導通型半導体スイッチ及び前記第３逆導通型半導体スイッチと、前記第２逆導通型半導体スイッチ及び前記第４逆導通型半導体スイッチと、を交互にオン／オフし、
前記スイッチ切替タイミングと、前記交流電源電圧のゼロクロスポイントとの時間差を表すゲート位相角を調整することにより、前記照明灯に前記低電圧を印可することを特徴とする、請求項１又は請求項２に記載の照明灯制御方法。
【請求項４】
照明灯と交流電源との間に直列に接続される磁気エネルギー回生双方向電流スイッチと、
前記照明灯を使用しない場合に、前記照明灯に対して零より大きく前記照明灯の定格電圧未満の低電圧を継続的に印加するように、前記磁気エネルギー回生双方向電流スイッチを制御する制御装置と、
前記照明灯の点灯と消灯を切り替えるためのスイッチと、
前記照明灯の照明範囲内に対象物が存在するか否かを感知する対象物感知装置と、
を具備し、
前記制御装置は、前記切り替えるためのスイッチの出力信号に基づいて、前記照明灯に対して前記低電圧または前記定格電圧以上の点灯電圧を選択的に印可すること、及び、前記対象物感知装置の出力信号に基づいて、前記照明灯に対して前記低電圧または前記定格電圧以上の点灯電圧を選択的に印可することを特徴とする、照明灯制御装置。
【請求項５】
前記対象物感知装置によって所定時間以上前記対象物が感知されない場合に、前記制御装置は、前記照明灯に印加される電圧を零とすることを特徴とする、請求項４に記載の照明灯制御装置。
【請求項６】
前記磁気エネルギー回生双方向電流スイッチは、
第１経路に第１逆導通型半導体スイッチと第４逆導通型半導体スイッチとがスイッチオフ時の導通方向を相互に逆向きにして直列に配置され、第２経路に第２逆導通型半導体スイッチと第３逆導通型半導体スイッチとがスイッチオフ時の導通方向を相互に逆向きにして直列に配置されたブリッジ回路と、
前記第１逆導通型半導体スイッチと前記第４逆導通型半導体スイッチとの間の前記第１経路と、前記第２逆導通型半導体スイッチと前記第３逆導通型半導体スイッチとの間の前記第２経路との間に接続されたコンデンサと、
を含み、
前記制御装置は、
前記交流電源の半周期毎のスイッチ切替タイミングで、前記第１逆導通型半導体スイッチ及び前記第３逆導通型半導体スイッチと、前記第２逆導通型半導体スイッチ及び前記第４逆導通型半導体スイッチと、を交互にオン／オフし、
前記スイッチ切替タイミングと、前記交流電源電圧のゼロクロスポイントとの時間差を表すゲート位相角を調整することにより、前記照明灯に前記低電圧を印可することを特徴とする、請求項４又は請求項５に記載の照明灯制御装置。
【請求項７】
前記低電圧を印可する場合の前記ゲート位相角は、９０°より大きく２７０°未満の範囲内であることを特徴とする、請求項６に記載の照明灯制御装置。
【手続補正書】
【提出日】平成21年9月14日(2009.9.14)
【手続補正１】
【補正対象書類名】特許請求の範囲
【補正対象項目名】全文
【補正方法】変更
【補正の内容】
【特許請求の範囲】
【請求項１】
記録媒体内の取り扱い可能なファイルを特定する特定手段と、
前記特定手段により特定されたファイルのエントリ上の属性情報及びファイルに記載の属性情報とを含む管理ファイルを生成し、前記記録媒体に記録する生成手段と、
前記記録媒体に管理ファイルが記録されている場合は、当該管理ファイルの信頼性を判定する判定手段と、
前記判定手段により信頼できないと判定された場合は前記生成手段により管理ファイルを再構築する再構築手段と、
前記判定手段により信頼できると判定された場合は前記記録媒体に記録されていた管理ファイルを利用し、信頼できないと判定された場合は前記再構築手段により再構築された管理ファイルを利用して前記記録媒体内の画像を検索する検索手段とを備えることを特徴とする画像再生装置。
【請求項２】
前記判定手段は、前記特定手段により特定されたファイルのエントリ上の属性情報と、前記記録媒体に記録されている管理ファイルに記載された当該ファイルのエントリ上の属性情報とに基づいて、当該管理ファイルの信頼性を判定することを特徴とする請求項１に記載の画像再生装置。
【請求項３】
前記エントリ上の属性情報は、タイムスタンプ、ファイルサイズ、ファイル名、プロテクト属性、隠し属性、アーカイブ属性の少なくともいずれかを含むことを特徴とする請求項１に記載の画像再生装置。
【請求項４】
管理ファイルは前記記録媒体に形成されたディレクトリを単位として形成され、
前記判定手段による信頼性の確認及び前記生成手段による管理ファイルの構築はディレクトリ単位で行われることを特徴とする請求項１に記載の画像再生装置。
【請求項５】
前記判定手段は、前記特定手段により特定されたファイル群と前記管理ファイルに記述されているファイル群において共通に存在する共通ファイルに対して、両者のエントリ上の属性情報を比較することにより信頼性を判定し、
前記再構築手段は、前記判定手段で信頼性なしと判定されたファイル及び、前記特定手段により特定されたファイル群と前記管理ファイルに記述されているファイル群のいずれか一方にしか存在しないファイルを対象として前記生成手段を機能させて前記管理ファイルを再構築することを特徴とする請求項１に記載の画像再生装置。
【請求項６】
前記判定手段は、管理ファイルに管理ファイル自身のファイル属性を記載し、これを照合することにより当該管理ファイルの信頼性を判定することを特徴とする請求項１に記載の画像再生装置。
【請求項７】
前記管理ファイルに記載される管理ファイル自身のファイル属性は、ファイルサイズ、チェックサム、タイムスタンプ、ハッシュ値の少なくともいずれかを含むことを特徴とする請求項６に記載の画像再生装置。
【請求項８】
前記特定手段で特定されたファイルを再生する再生手段と、
前記再生手段による再生の実行時に、再生対象のファイルのエントリ上の属性情報と前記管理ファイルに登録されている前記再生対象のファイルの属性情報とを照合する照合手段と、
前記照合手段による照合の結果、不整合と判定された場合は、前記再生対象のファイルに記述されている属性情報でもって前記管理ファイルを更新する更新手段とを更に備えることを特徴とする請求項１に記載の画像再生装置。
【請求項９】
記録媒体内の画像を検索する画像再生装置の制御方法であって、
前記記録媒体内の取り扱い可能なファイルを特定する特定工程と、
前記特定工程により特定されたファイルのエントリ上の属性情報及びファイルに記載の属性情報とを含む管理ファイルを生成し、前記記録媒体に記録する生成工程と、
前記記録媒体に管理ファイルが記録されている場合は、当該管理ファイルの信頼性を判定する判定工程と、
前記判定工程により信頼できないと判定された場合は前記生成工程により管理ファイルを再構築する再構築工程と、
前記判定工程により信頼できると判定された場合は前記記録媒体に記録されていた管理ファイルを利用し、信頼できないと判定された場合は前記再構築工程により再構築された管理ファイルを利用して前記記録媒体内の画像を検索する検索工程とを有することを特徴とする画像再生装置の制御方法。
【手続補正２】
【補正対象書類名】明細書
【補正対象項目名】０００８
【補正方法】変更
【補正の内容】
【０００８】
上記の目的を達成するための本発明による画像再生装置は以下の構成を備える。即ち、
記録媒体内の取り扱い可能なファイルを特定する特定手段と、
前記特定手段により特定されたファイルのエントリ上の属性情報及びファイルに記載の属性情報とを含む管理ファイルを生成し、前記記録媒体に記録する生成手段と、
前記記録媒体に管理ファイルが記録されている場合は、当該管理ファイルの信頼性を判定する判定手段と、
前記判定手段により信頼できないと判定された場合は前記生成手段により管理ファイルを再構築する再構築手段と、
前記判定手段により信頼できると判定された場合は前記記録媒体に記録されていた管理ファイルを利用し、信頼できないと判定された場合は前記再構築手段により再構築された管理ファイルを利用して前記記録媒体内の画像を検索する検索手段とを備える。
【手続補正３】
【補正対象書類名】明細書
【補正対象項目名】０００９
【補正方法】変更
【補正の内容】
【０００９】
また、上記の目的を達成するための本発明による画像再生装置の制御方法は、
記録媒体内の画像を検索する画像再生装置の制御方法であって、
前記記録媒体内の取り扱い可能なファイルを特定する特定工程と、
前記特定工程により特定されたファイルのエントリ上の属性情報及びファイルに記載の属性情報とを含む管理ファイルを生成し、前記記録媒体に記録する生成工程と、
前記記録媒体に管理ファイルが記録されている場合は、当該管理ファイルの信頼性を判定する判定工程と、
前記判定工程により信頼できないと判定された場合は前記生成工程により管理ファイルを再構築する再構築工程と、
前記判定工程により信頼できると判定された場合は前記記録媒体に記録されていた管理ファイルを利用し、信頼できないと判定された場合は前記再構築工程により再構築された管理ファイルを利用して前記記録媒体内の画像を検索する検索工程とを有する。
【手続補正書】
【提出日】平成21年2月13日(2009.2.13)
【手続補正１】
【補正対象書類名】特許請求の範囲
【補正対象項目名】請求項１
【補正方法】変更
【補正の内容】
【請求項１】
センサ端末と、管理サーバからなるセンサネットシステムであって、
前記センサ端末は、活動状態と休眠状態とを交互に繰り返し、前記活動状態においてセンサを用いて取得した観測データを前記管理サーバに送信し、前記休眠状態において前記観測データの取得及び送信を停止し、
前記管理サーバは、前記センサ端末から受信した前記観測データのうち最新の観測データを管理する最新データ蓄積管理部と、前記センサ端末から受信した任意の時刻の前記観測データから前記最新の観測データまでの履歴を履歴データとして管理する履歴データ蓄積管理部と、前記履歴データの欠損を管理し、所定の規則に基づいて前記センサ端末に欠損した前記観測データの送信を要求することによって前記履歴データの欠損を補完するデータ欠損管理部と、を有し、
前記観測データの要求を受けると、該要求の種類に応じて、前記最新データ蓄積管理部に管理される最新の観測データか、前記履歴データ蓄積管理部で管理される履歴データの少なくとも何れか一方を出力することを特徴とするセンサネットシステム。
【手続補正書】
【提出日】平成21年8月25日(2009.8.25)
【手続補正１】
【補正対象書類名】明細書
【補正対象項目名】００３８
【補正方法】変更
【補正の内容】
【００３８】
図２は、図１に示されたＲＯＭ２に対して外部からテストされるときのコントローラ２１の動作を示すフローチャートである。ステップＳ１０１において、メモリコア２２から非書き込み領域情報ＷＲＧＮ及び固定値ＦＸＶＬをレジスタ２１２へ格納する。次にステップＳ１０２において、ＲＯＭ２の外部から入力された論理アドレスＡＤＲＬが、アドレス変換テーブル２１１を用いて物理アドレスＡＤＲＰに変換される。
【手続補正２】
【補正対象書類名】明細書
【補正対象項目名】００６１
【補正方法】変更
【補正の内容】
【００６１】
ステップＳ１０２が実行された後は、物理アドレスＡＤＲＰを用いてメモリコア２２にアクセスすることになる。ステップＳ２０３によって修正されたアドレス変換テーブル２１１を用いて物理アドレスＡＤＲＰが得られたので、物理アドレスＡＤＲＰとしては不良アドレスＡＤＲＦを採り得ない。よってステップＳ１０３において否定的な判断がなされた場合、第１の実施の形態と同様にしてステップＳ１０４を実行する。即ち読み出し原データＤＴＲが読み出しデータＤＴＣとして採用される。
【手続補正３】
【補正対象書類名】明細書
【補正対象項目名】００６２
【補正方法】変更
【補正の内容】
【００６２】
他方、ステップＳ１０３において肯定的な判断がなされた場合、ＲＯＭ２の外部からは、非書き込み領域２０３に格納されているはずの固定値ＦＸＶＬが期待される場合と、不良アドレスＡＤＲＦに格納されているはずのコードＣＯＤＥＦが期待される場合とがある。前者の場合には第１の実施の形態と同様にしてステップＳ１０５が実行されるべきであるし、後者の場合には冗長領域２０３ｃからコードＣＯＤＥＦを読み出しデータＤＴＣとして採用すべきである。
【手続補正書】
【提出日】平成21年9月14日(2009.9.14)
【手続補正１】
【補正対象書類名】特許請求の範囲
【補正対象項目名】全文
【補正方法】変更
【補正の内容】
【特許請求の範囲】
【請求項１】
第一の流体に第二の流体を注入することにより第一の流体中にガスを過飽和させる方法であって、
(a) 第一の側部および第二の側部を有する、少なくとも一枚の膜を調製し、
(b) 該膜の該第一の側部と、該ガスとを、大気圧よりも高い圧力P1の下で接触させ、
(c) 該膜の該第二の側部と、該第二の流体とを、該圧力P1よりも高い圧力P2にて接触させ、
(d) 該ガスが該膜を横切って拡散し、かつ該第二の流体中に溶解するように、該第二の流体の少なくとも一部を、該膜の該第二の側部と接触状態に維持し、
(e) 加圧混合チャンバー内で該第一の流体と該第二の流体を混合して、気泡を形成することなく該第一の流体を該ガスで過飽和させる、工程を含むことを特徴とする、上記方法。
【請求項２】
上記工程(a)が、ハウジング内に複数の膜を設ける工程を含む、請求項1記載の方法。
【請求項３】
該複数の膜が、管状の膜である、請求項2記載の方法。
【請求項４】
該複数の管状膜各々の外側表面が、該各膜の該第一側部を含み、かつ該複数の管状膜各々の内側表面が、該各膜の該第二側部を含む、請求項3記載の方法。
【請求項５】
上記工程(b)が、該ガスを該ハウジング内に放出して、該複数の管状膜各々の外側表面と接触させる、請求項4記載の方法。
【請求項６】
上記工程(c)が、該流体を、該複数の管状膜各々に放出して、該複数の管状膜各々の内側表面と接触させる、請求項5記載の方法。
【請求項７】
該複数の管状膜が、中空繊維マットを含む、請求項3記載の方法。
【請求項８】
該ガスが、酸素を含む、請求項1記載の方法。
【請求項９】
該圧力P1が、約0.207 MPa絶対圧力(30 psia)未満である、請求項1記載の方法。
【請求項１０】
該第二の流体が、生理的流体を含む、請求項1記載の方法。
【請求項１１】
該生理的流体が、塩水を含む、請求項10記載の方法。
【請求項１２】
該生理的流体が、人血以外の血液を含む、請求項10記載の方法。
【請求項１３】
第一流体を供給する流体供給アセンブリーと、液体−液体酸素化アセンブリーとを含む流体を酸素化するシステムであって、
該流体供給アセンブリーは、該第一流体を、760 mmHgを越えるpO2まで酸素により酸素化することができる高圧膜式酸素化装置を含み、
該液体−液体酸素化アセンブリーは、該流体供給アセンブリーからの第一酸素化流体を受け入れる第一入口と、該第一流体が注入される第二の流体を受け入れる第二入口とを有するチャンバーを含むことを特徴とするシステム。
【請求項１４】
高圧膜式酸素化装置が、少なくとも１つの管状膜を含むハウジングを有する請求項１３記載のシステム。
【請求項１５】
該少なくとも１つの管状膜が、中空繊維マットを含む、請求項１４記載のシステム。
【請求項１６】
高圧膜式酸素化装置が、大気圧より高圧の酸素を受け入れることができる、請求項１３記載のシステム。
【請求項１７】
第一末端部、第二末端部およびガス入口ポートを持つハウジングと、
該ハウジング内に配置された複数の中空繊維と、ここで該複数の中空繊維は、一般に該ハウジングの該第一末端部と該第二末端部との間に広がっており、該複数の中空繊維は、該ハウジングの該第一末端部から該ハウジングの該第二末端部に、流体を通し、一方でこれらを介するガスの拡散を可能とするように適合しており、
該ハウジングの該第一末端部における、該複数の中空繊維近辺に配置された第一の封止および該ハウジングの該第二末端部における、該複数の中空繊維近辺に配置された第二の封止と、ここで該第一および第二封止は、該ハウジング内のこれらの間に、ガスチャンバーを画成する、
該ハウジングの該第一末端部に配置された第一端部キャップと、ここで該第一端部キャップは、流体入口ポートを有し、かつ該第一端部キャップと該第一封止との間に、流体入口マニホルドを画成する、および
該ハウジングの該第二末端部に配置された第二端部キャップと、ここで該第二端部キャップは、流体出口ポートを有し、かつ該第二端部キャップと該第二封止との間に、流体出口マニホルドを画成する、
を含むことを特徴とする、請求項１３記載のシステム。
【請求項１８】
血液を酸素化し、循環するシステムであって、
血液供給源と結合した、血液ポンプアセンブリーと、
該血液ポンプアセンブリーと結合した、血液酸素化アセンブリーと、ここで該血液酸素化アセンブリーは、該血液ポンプアセンブリーからの血液を受け取り、この血液を酸素化し、該血液酸素化アセンブリーは、膜型酸素化装置を含み、
該膜型酸素化装置は、酸素化される生理的流体を受け取るための第一入口と、酸素を受け入れる第二入口と、酸素過飽和された生理的流体を排出するための出口とを備えたハウジングを有し、かつ
血液の供給、血液ポンプアセンブリー、及び血液酸素化アセンブリーを結合して回路を形成する血液循環導管を含み、該回路はさらに、酸素過飽和された生理的流体を血液中に向け注入し、気泡を形成することなく循環血液を酸素化するための出口に連結された流体混合チャンバーを含むことを特徴とするシステム。
【請求項１９】
該膜型酸素化装置が、さらに、
ハウジング内に配置された複数の管状膜を有し、該複数の管状膜の各々が内側表面と外側表面を有し、酸素ガスが、大気圧より高圧でハウジングに送られ、酸素が該管状膜を通過し、生理的流体中に拡散して酸素過飽和生理的流体を形成することを特徴とする請求項１８記載のシステム。
【請求項２０】
該管状膜が、中実の材料または微孔質の材料から選ばれる材料を含む請求項１９記載のシステム。
【手続補正書】
【提出日】平成21年9月25日(2009.9.25)
【手続補正１】
【補正対象書類名】明細書
【補正対象項目名】０００７
【補正方法】変更
【補正の内容】
【０００７】
グリル構造体は、グリル装置を清掃できるように、この装置の枠に沿ってスライドできる。１つのグリル構造体は、食品を保存して冷凍する冷凍装置などの別の構成要素に、取り外しできるように取り付けられる。グリル構造体が取り付けられると、グリル構造体が、枠に対してスライドしない。グリル構造体が取り外されると、一方のグリル構造体が、この装置に取り付けられた他方のグリル構造体に対して、枠に沿って水平にスライドできる。
【手続補正２】
【補正対象書類名】明細書
【補正対象項目名】００１７
【補正方法】変更
【補正の内容】
【００１７】
コンベヤベルト２８ａ、２８ｂは、好ましくは低い熱膨張係数を有する適切な素材でできている。一実施例においては、コンベヤベルト２８ａ、２８ｂは、フランス国パリに所在するＩｍｐｈｙ  Ｓ．Ａ．社から市販されている焦げ付き防止コーティング加工されたＩｎｖａｒ（登録商標）でできている。Ｉｎｖａｒ（登録商標）は、鉄及び３６％のニッケルからなる金属合金であるが、他の微量元素を含んでもよい。一実施例においては、Ｉｎｖａｒ（登録商標）上の焦げ付き防止コーティング加工は、ドイツ国ウィルミントンに所在するＥ．Ｉ．ｄｕ  Ｐｏｎｔ  ｄｅ  Ｎｅｍｏｕｒｓ  ａｎｄ  Ｃｏｍｐａｎｙ社から市販されているテフロン（登録商標）である。Ｉｎｖａｒ（登録商標）は、低い熱膨張係数を有し、これによって加熱されたときに、ほとんど膨張しない。Ｉｎｖａｒ（登録商標）を開示したが、低い熱膨張係数を有する他の素材が使用できることを理解されたい。
【手続補正３】
【補正対象書類名】明細書
【補正対象項目名】００２８
【補正方法】変更
【補正の内容】
【００２８】
グリル装置２０が使用中の場合は、加熱装置２６ａ、２６ｂが、図１に示す位置に位置する。ラッチ機構２７は、加熱装置２６ａ、２６ｂを使用位置に保持する。ラッチ機構２７が開放されると、加熱装置２６ｂが、グリル構造体２２ｂの枠６６ｂに対してスライドできる。一実施例においては、ラッチ機構２７は、ばねの荷重を受けている。使用者は、グリル構造体２２ｂから加熱装置２６を引き寄せるために、ハンドル６４ｂを引く。加熱装置２６ｂがグリル構造体２２ｂに対してスライドすると、レール７０ｂがスライドして、トラック６８ｂ内に保持される。加熱装置２６ｂが図４、５に示された位置にスライドすると、この装置２６ｂを取り外して、清掃することができる。
【手続補正４】
【補正対象書類名】明細書
【補正対象項目名】００３１
【補正方法】変更
【補正の内容】
【００３１】
グリル構造体２２ｂのハンドル６４ｂは、グリル構造体２２ｂに対して回動せず、取り付け位置（図１に図示）と非取り付け位置（図３に図示）との間でグリル構造体２２ｂに対して移動できる。
【手続補正５】
【補正対象書類名】明細書
【補正対象項目名】００３２
【補正方法】変更
【補正の内容】
【００３２】
図８にさらに示すように、ハンドル６４ｂの各端部は、回動点７８において回動するようにアーム７６に取り付けられる。各々のアーム７６はまた、回動点８０において回動するようにグリル構造体２２ｂに取り付けられる。第１のベアリング８２ならびに第２のベアリング８４は、各々のアーム７６に回動可能に収容されている。図１，３，４，５，７，８に示すように、１セットのベアリング８２，８４は、グリル構造体２２ｂの幅方向における各側に設けられており、グリル構造体２２ｂにおける各アーム７６に受容される。グリル構造体２２ｂの各側に回動可能に取付けられたアーム７６が一対のベアリング８２，８４により配設されている。好ましくは、グリル構造体２２ｂの各側に２セットのアーム７６が配設される。
【手続補正６】
【補正対象書類名】明細書
【補正対象項目名】００４６
【補正方法】変更
【補正の内容】
【００４６】
食品３８が出口傾斜路１０４を下るときに、この食品３８は、最終的に回転フラップ１３４の突起部分１３６に接触し、このフラップ１３４が、図１２に示すようにある位置から約９０゜回転する。回転フラップ１３４が回転すると、このフラップ１３４に取り付けられたアーム１４０も動き、センサ２０２によって検知される。センサ２０２は、このセンサ２０２を作動させる制御装置２００に信号を送信する。制御装置２００は、ソレノイドバルブ１４４を作動させ、かつモータ１２２を停止させるように信号を送信する。モータ１２２が停止すると、エンドレス部材１０６の動作が停止して、食品３８の移動が停止する。
【手続補正７】
【補正対象書類名】明細書
【補正対象項目名】００５０
【補正方法】変更
【補正の内容】
【００５０】
本発明におけるグリル装置２０は、２００２年４月１７日に出願された”Ａｕｔｏｍａｔｅｄ  Ｇｒｉｌｌ”という名称の同時係属中の米国特許出願第１０／１２４，６２９号（米国特許第７，００１，６２６号明細書）に記載されているものなどの自動グリルとともに使用することができる。また、グリル装置２０は、２００３年１２月２日に出願された”Ａｕｔｏｍａｔｅｄ  Ｆｒｅｅｚｅｒ  Ｃｏｍｐｏｎｅｎｔ”という名称の同時係属中の米国特許出願第１０／７２５，９５４号に記載されているものなどの自動冷凍装置とともに使用することができる。
【手続補正書】
【提出日】平成21年11月5日(2009.11.5)
【手続補正１】
【補正対象書類名】明細書
【補正対象項目名】００１１
【補正方法】変更
【補正の内容】
【００１１】
前述した目的を達成するための本発明の要旨とするところは、以下の項の発明に存する。
［１］遊技球の入賞が可能な入賞可能状態と不可能な入賞不可能状態に変化する可変入賞装置（２４，２５）と、識別情報を可変表示する表示装置（３１０）とを備えた遊技機（１）において、
遊技開始条件の成立に基づいて、前記表示装置（３１０）で識別情報を可変表示する可変表示遊技を実行し、所定時間経過後に前記可変表示遊技の表示結果を導出表示する表示制御手段（２２００）と、
前記表示結果に係る表示結果情報を事前に決定する表示結果情報決定手段（２１００）と、
前記表示結果情報のうち予め定められた特定表示結果情報に基づいて前記表示結果が導出表示された場合に、前記入賞可能状態を、インターバル動作としての前記入賞不可能状態を間にして所定の上限回数だけ繰り返すと共に、前記入賞可能状態の最終回を実行した後に、前記入賞不可能状態でエンディングの演出を表示するエンディング動作を実行する特定遊技状態の制御を行う特定遊技状態制御手段（２３００）と、
前記特定遊技状態制御手段（２３００）は、前記特定表示結果情報の種類に応じて、第１の上限回数に基づいて前記可変入賞装置（２４，２５）を前記入賞可能状態に制御する第１制御パターンと、該第１の上限回数よりも繰り返し回数が多い第２の上限回数に基づいて前記可変入賞装置（２４，２５）を前記入賞可能状態に制御する第２制御パターンとを少なくとも含む各制御パターンの中から何れかを選択し、該選択した制御パターンに基づいて前記特定遊技状態を制御し、
前記特定遊技状態制御手段（２３００）が、前記第２制御パターンに基づいて実行するインターバル動作のうち、前記第１の上限回数と同じ回数だけ前記可変入賞装置（２４，２５）を前記入賞可能状態とした後の特定インターバル動作を、前記第１制御パターンに基づいて実行する前記エンディング動作と途中まで共通にしたことを特徴とする遊技機（１）。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１７
【補正方法】変更
【補正の内容】
【００１７】
前記表示結果情報のうち予め定められた特定表示結果情報に基づいて表示結果が導出表示された場合、特定遊技状態制御手段（２３００）は、可変入賞装置（２４，２５）の入賞可能状態を、インターバル動作としての入賞不可能状態を間にして所定の上限回数だけ繰り返すと共に、入賞可能状態の最終回を実行した後、前記入賞不可能状態でエンディングの演出を表示するエンディング動作を実行する特定遊技状態の制御を行う。
【手続補正７】
【補正対象書類名】明細書
【補正対象項目名】００１８
【補正方法】変更
【補正の内容】
【００１８】
前記特定遊技状態制御手段（２３００）は、特定表示結果情報の種類に応じて、第１の上限回数に基づいて可変入賞装置（２４，２５）を入賞可能状態に制御する第１制御パターンと、該第１の上限回数よりも繰り返し回数が多い第２の上限回数に基づいて可変入賞装置（２４，２５）を入賞可能状態に制御する第２制御パターンとを少なくとも含む各制御パターンの中から何れかを選択し、該選択した制御パターンに基づいて前記特定遊技状態を制御する。
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２８
【補正方法】削除
【補正の内容】
【手続補正１６】
【補正対象書類名】特許請求の範囲
【補正対象項目名】全文
【補正方法】変更
【補正の内容】
【特許請求の範囲】
【請求項１】
遊技球の入賞が可能な入賞可能状態と不可能な入賞不可能状態に変化する可変入賞装置と、識別情報を可変表示する表示装置とを備えた遊技機において、
遊技開始条件の成立に基づいて、前記表示装置で識別情報を可変表示する可変表示遊技を実行し、所定時間経過後に前記可変表示遊技の表示結果を導出表示する表示制御手段と、
前記表示結果に係る表示結果情報を事前に決定する表示結果情報決定手段と、
前記表示結果情報のうち予め定められた特定表示結果情報に基づいて前記表示結果が導出表示された場合に、前記入賞可能状態を、インターバル動作としての前記入賞不可能状態を間にして所定の上限回数だけ繰り返すと共に、前記入賞可能状態の最終回を実行した後に、前記入賞不可能状態でエンディングの演出を表示するエンディング動作を実行する特定遊技状態の制御を行う特定遊技状態制御手段と、
前記特定遊技状態制御手段は、前記特定表示結果情報の種類に応じて、第１の上限回数に基づいて前記可変入賞装置を前記入賞可能状態に制御する第１制御パターンと、該第１の上限回数よりも繰り返し回数が多い第２の上限回数に基づいて前記可変入賞装置を前記入賞可能状態に制御する第２制御パターンとを少なくとも含む各制御パターンの中から何れかを選択し、該選択した制御パターンに基づいて前記特定遊技状態を制御し、
前記特定遊技状態制御手段が、前記第２制御パターンに基づいて実行するインターバル動作のうち、前記第１の上限回数と同じ回数だけ前記可変入賞装置を前記入賞可能状態とした後の特定インターバル動作を、前記第１制御パターンに基づいて実行する前記エンディング動作と途中まで共通にしたことを特徴とする遊技機。
【手続補正書】
【提出日】平成21年9月28日(2009.9.28)
【手続補正１】
【補正対象書類名】特許請求の範囲
【補正対象項目名】全文
【補正方法】変更
【補正の内容】
【特許請求の範囲】
【請求項１】
洗い行程、すすぎ行程および脱水行程を実施する複数の機能部と、
前記機能部の機能が低下する時期を検出する機能低下時期検出手段と、
前記機能低下検出手段で検出した前記機能部の機能が低下する時期になると、前記機能部の機能を段階的に低下させる制御手段と、
を備えることを特徴とする洗濯機。
【請求項２】
前記機能部は、前記洗い行程、前記すすぎ行程または前記脱水行程の後に前記洗濯物を乾燥する乾燥行程を実施する乾燥機能部を有し、
前記制御手段は、前記機能低下時期検出手段で検出した前記機能部の機能が低下する時期になると、前記乾燥機能部の運転を低下させることを特徴とする請求項１記載の洗濯機。
【請求項３】
前記乾燥機能部は、前記洗濯物を乾燥する空気を加熱するヒータを有し、
前記制御手段は、前記機能低下時期検出手段で検出した前記機能部の機能が低下する時期になると、前記ヒータの出力を低下させることを特徴とする請求項２記載の洗濯機。
【請求項４】
前記乾燥機能部は、前記洗濯物を乾燥させる空気を除湿するヒートポンプユニットを有し、
前記制御手段は、前記機能低下時期検出手段で検出した前記機能部の機能が低下する時期になると、前記ヒータポンプユニットのコンプレッサの運転を低下させることを特徴とする請求項２記載の洗濯機。
【請求項５】
前記機能部は、洗濯物が収容される回転槽、および前記回転槽を回転駆動するモータを有し、
前記制御手段は、前記機能低下時期検出手段で検出した前記機能部の機能が低下する時期になると、前記モータの負荷を低減させることを特徴とする請求項１記載の洗濯機。
【請求項６】
前記制御手段は、前記洗い行程または前記すすぎ行程を実施しているとき、前記モータの負荷を低減させることを特徴とする請求項５記載の洗濯機。
【請求項７】
前記制御手段は、前記脱水行程を実施しているとき、前記モータの負荷を低減させることを特徴とする請求項５記載の洗濯機。
【請求項８】
視覚、聴覚または触覚を通して警報を発する警報手段をさらに備え、
前記制御手段は、前記機能低下時期検出手段で検出した前記機能部の機能が低下する時期になると、前記警報手段により警報を発することを特徴とする請求項１記載の洗濯機。
【請求項９】
前記警報手段は、点灯または消灯することにより外部に情報を発する表示手段を有し、
前記制御手段は、前記機能低下時期検出手段で検出した前記機能部の機能が低下する時期になると、前記表示手段の一部または全部の減光、消灯または点滅のいずれかを実行することを特徴とする請求項８記載の洗濯機。
【請求項１０】
前記警報手段は、前記制御部に指示を入力する操作手段を有し、
前記制御部は、前記機能低下時期検出手段で検出した前記機能部の機能が低下する時期になると、前記操作手段の操作性を低下させることを特徴とする請求項８記載の洗濯機。
【請求項１１】
前記警報手段は、鳴動することにより外部に情報を発する鳴動手段を有し、
前記制御部は、前記機能低下時期検出手段で検出した前記機能部の機能が低下する時期になると、前記鳴動手段の音圧および音程を変更することを特徴とする請求項８記載の洗濯機。
【請求項１２】
点灯または消灯することにより外部に情報を発する表示手段、前記制御部に指示を入力する操作手段、および鳴動することにより外部に情報を発する鳴動手段を有し、視覚、聴覚または触覚を通して警報を発する警報手段をさらに備え、
前記機能部は、
前記洗濯物が収容される洗濯槽と、
前記洗濯物を洗浄する洗い行程、または前記洗濯物を脱水すする脱水行程の後に前記洗濯物を乾燥する乾燥行程を実施し、前記洗濯物を乾燥する空気を加熱するヒータまたは前記洗濯物を乾燥する空気を除湿するヒートポンプを有する乾燥機能部と、
前記洗濯槽を回転駆動するモータと、を有し、
前記制御手段は、前記機能低下時期検出手段で検出した前記機能部の機能が低下する時期になると、前記ヒータの出力の低下、前記ヒートポンプのコンプレッサの運転の低下、前記洗濯物を洗浄する洗い行程または前記洗濯物をすすぐすすぎ行程のときに前記モータの負荷を低減、前記脱水行程を実施しているときに前記モータの負荷を低減、前記表示手段の一部もしくは全部の減光、消灯もしくは点滅のいずれか、前記操作手段の操作性を低下、または前記鳴動手段の音圧および音程を変更のうち少なくとも二つ以上を組み合わせて実施することを特徴とする請求項１記載の洗濯機。
【請求項１３】
前記制御手段は、あらかじめ設定されている標準使用期間を経過した後、前記機能部の機能を段階的に低下させることを特徴とする請求項１記載の洗濯機。
【請求項１４】
時刻を記憶し、電源が投入されると表示される時刻表示手段をさらに備え、
前記制御部は、前記機能低下時期検出手段で検出した前記機能部の機能が低下する時期になると、前記時刻表示手段を減光または点滅させることを特徴とする請求項１記載の洗濯機。
【請求項１５】
前記表示手段は、前記機能低下時期検出手段で検出した前記機能部の機能が低下する時期から期間が経過するにつれて、ある端部側から他方の端部側へ徐々に消灯することを特徴とする請求項９記載の洗濯機。
【手続補正書】
【提出日】平成21年2月13日(2009.2.13)
【手続補正１】
【補正対象書類名】明細書
【補正対象項目名】００７６
【補正方法】変更
【補正の内容】
【００７６】
ここで、セキュアエリア８２には、スペシャルエリア８１と異なり、OSからアクセスすることができる（OSのコマンドによってデータの読み書きを行うことができる）。ただし、専用のアプリケーションプログラムが実行されているPC１は、スペシャルエリア８１から暗号鍵を読み出し、その暗号鍵を用いて、セキュアエリア８２から読み出した暗号化データを復号することができるが、専用のアプリケーションプログラムが実行されていないPCは、スペシャルエリア８１へのアクセスが不可能であるため、暗号鍵を読み出すことができず、暗号化データを復号することができない。したがって、セキュアエリア８２には、専用のアプリケーションプログラムが実行されているPC１以外のPCからのアクセスが実質的に不可能となるように、暗号化データが記憶されることになる。
【手続補正２】
【補正対象書類名】明細書
【補正対象項目名】０１２９
【補正方法】変更
【補正の内容】
【０１２９】
ステップＳ７２において、CPU７２は、フラッシュメモリ６２のスペシャルエリア８１に記憶されている内部パスワードハッシュをフラッシュメモリコントローラ７５を介して取得する（読み出す）。そして、CPU７２は、スペシャルエリア８１から読み出した内部パスワードハッシュと、ステップＳ７１で受信された制御データの現パスワードハッシュ部のパスワードハッシュとを照合し、ステップＳ７３に進む。
【手続補正３】
【補正対象書類名】明細書
【補正対象項目名】０１７３
【補正方法】変更
【補正の内容】
【０１７３】
ステップＳ１３３において、CPU７２は、内部パスワードハッシュと現パスワードハッシュ部のパスワードハッシュとが一致するかどうかを判定する。ステップＳ１３３において、内部パスワードハッシュと現パスワードハッシュ部のパスワードハッシュとが一致しないと判定された場合、つまり、ユーザの正当性が確認されなかった場合、USBストレージメディア２のデータ読み出し処理を終了する。
【手続補正４】
【補正対象書類名】明細書
【補正対象項目名】０１８８
【補正方法】変更
【補正の内容】
【０１８８】
一方、ファイル１０２がドライブウィンドウ１０３内からドライブウィンドウ１０３外に移動されると、PC１のOSによって、ファイル１０２がドライブウィンドウ１０３外に移動されたことが検知され、専用のアプリケーションプログラムに通知される。さらに、PC１のOSは、暗号化後のファイル１０２をセキュアエリア８２から読み出す。また、専用のアプリケーションプログラムは、ファイル１０２がドライブウィンドウ１０３外に移動されたことのOSからの通知を、USBストレージメディア２からのデータの読み出しの指示として認識し、上述したPC１とUSBストレージメディア２によるデータ読み出し処理にしたがって、暗号鍵を用いて、OSによって読み出された暗号化後のファイル１０２を復号する。そして、専用のアプリケーションプログラムは、復号が終了すると、OSを経由して、USBストレージメディア２のセキュアエリア８２に記憶されている暗号化後のファイル１０２、及びUSBストレージメディア２からPC１に読み出された暗号化後のファイル１０２を消去させる。
【手続補正書】
【提出日】平成21年7月30日(2009.7.30)
【手続補正１】
【補正対象書類名】特許請求の範囲
【補正対象項目名】全文
【補正方法】変更
【補正の内容】
【特許請求の範囲】
【請求項１】
複数のページへオブジェクトの描画を行う電子描画装置において、
各ページの重要度を、該各ページの編集時間の長さに基づいて算出する算出手段と、
前記算出手段によって算出された各ページの重要度を比較し、重要度の最も高いページを代表ページとして決定する比較決定手段と、
を備えることを特徴とする電子描画装置。
【請求項２】
前記各ページの編集時間を測定する編集時間測定手段を備えることを特徴とする請求項１記載の電子描画装置。
【請求項３】
前記編集時間は、前記各ページ内の描画オブジェクトに対して編集操作を行っている時間であることを特徴とする請求項２記載の電子描画装置。
【請求項４】
前記編集時間は、前記各ページ内の描画面に対して編集操作を行っている時間であることを特徴とする請求項２記載の電子描画装置。
【請求項５】
複数のページへオブジェクトの描画を行う電子描画装置を用いた電子描画方法において、
各ページの重要度を、該各ページの編集時間の長さに基づいて算出する算出ステップと、
前記算出ステップによって算出された各ページの重要度を比較し、重要度の最も高いページを代表ページとして決定する比較決定ステップと、
を備えることを特徴とする電子描画方法。
【請求項６】
複数のページへオブジェクトの描画を行う電子描画装置を用いた電子描画方法をコンピュータに実行させるためのプログラムにおいて、
前記電子描画方法は、
各ページの重要度を、該各ページの編集時間の長さに基づいて算出する算出ステップと、
前記算出ステップによって算出された各ページの重要度を比較し、重要度の最も高いページを代表ページとして決定する比較決定ステップと、
を備えることを特徴とするプログラム。
【請求項７】
請求項６記載のプログラムを格納することを特徴とするコンピュータで読み取り可能な記憶媒体。
【手続補正２】
【補正対象書類名】明細書
【補正対象項目名】００１７
【補正方法】変更
【補正の内容】
【００１７】
上記目的を達成するために、請求項１記載の電子描画装置は、複数のページへオブジェクトの描画を行う電子描画装置において、各ページの重要度を、該各ページの編集時間の長さに基づいて算出する算出手段と、前記算出手段によって算出された各ページの重要度を比較し、重要度の最も高いページを代表ページとして決定する比較決定手段と、を備えることを特徴とする。
【手続補正３】
【補正対象書類名】明細書
【補正対象項目名】００１８
【補正方法】変更
【補正の内容】
【００１８】
請求項５記載の電子描画方法は、複数のページへオブジェクトの描画を行う電子描画装置を用いた電子描画方法において、各ページの重要度を、該各ページの編集時間の長さに基づいて算出する算出ステップと、前記算出ステップによって算出された各ページの重要度を比較し、重要度の最も高いページを代表ページとして決定する比較決定ステップと、を備えることを特徴とする。
【手続補正４】
【補正対象書類名】明細書
【補正対象項目名】００１９
【補正方法】変更
【補正の内容】
【００１９】
請求項６記載のプログラムは、複数のページへオブジェクトの描画を行う電子描画装置を用いた電子描画方法をコンピュータに実行させるためのプログラムにおいて、前記電子描画方法は、各ページの重要度を、該各ページの編集時間の長さに基づいて算出する算出ステップと、前記算出ステップによって算出された各ページの重要度を比較し、重要度の最も高いページを代表ページとして決定する比較決定ステップと、を備えることを特徴とする。
【手続補正５】
【補正対象書類名】明細書
【補正対象項目名】００２０
【補正方法】変更
【補正の内容】
【００２０】
請求項７記載のコンピュータで読み取り可能な記憶媒体は、請求項６記載のプログラムを格納することを特徴とする。